【事件の表示】
　平成　８年特許願第　８０３９５号「毛髪整髪用泡状物噴出装置」拒絶査定に対する審判事件［平成　９年　９月　９日出願公開、特開平　９−２３４１０９］について、次のとおり審決する。
【結　論】
　本件審判の請求は、成り立たない。
【理　由】
【１】手続の経緯・本願特許請求の範囲請求項１に係る発明
（１）本願は、平成８年２月２８日の出願（特願平８−８０３９５号）であって、平成１１年９月２０日付け手続補正書（全文訂正明細書）により補正された特許請求の範囲の請求項１には、以下のとおりに記載されている。
「その先端部分に複数の噴出口３を有する突出部分６を前後方向に形成し、それらの突出部分６に形成された毛髪整髪用泡状物流体供給装置２と連通する筒状構造部分１の多数の噴出口３と向き合わせて位置させられた介在部材１２を有する鋸歯基部８と筒状構造部分１の結合で、嵌め込み構造部分１１を鋸歯基部８の窪部１３に嵌めることにより鋸歯基部８が有する窪部１３に筒状構造部分１が嵌まり、一体構造にさせられて、その鋸歯基部８の介在部材１２の部分に筒状構造部分１の突出部分６が有する多数の噴出口３が前記鋸歯基部８の介在部材１２の部分で包み込むように位置させ、噴出口３から噴出された泡状物を捕まえる介在部材１２が向き合わされて位置させられることにより個々の介在部材１２が抵抗体としての機能を生じさせ、その筒状構造部分１の突出部分６が有する多数の噴出口３が前記鋸歯基部８への窪部１３を設け、その窪部１３に前記鋸歯基部８を嵌め込むようにし、その窪部１３の反対側の周囲には前記個々の介在部材１２を取り囲むように長い鋸歯形成用突出部分７を突出させ、さらに、突出部分６の噴出口３から噴出する泡状物を遠くに飛散させないで前記介在部材１２の下側で受け止め得るようにさせており、突出部分６の噴出口３が適切な位置に位置し得るようにして、前記噴出口３から噴出した泡状物が介在部材１２に当たるように位置させたので、その位置に十分泡状物が確保されるようにしてなる毛髪整髪用泡状物噴出装置。」
（２）しかし、上記特許請求の範囲の請求項１の記載は、主語と述語の関係が明確でないなど文脈が多々不明であり、誤記を含んでおり、また、同様の記載が何度も繰り返されて冗長であるため、特許を受けようとする発明が必ずしも明確に表現されているとはいえない。
（３）そこで、当審において、願書に最初に添付された明細書及び図面に記載された各構成部材の形状、構造及びこれらの結合態様を参酌して、上記特許請求の範囲の請求項１の記載を整理したうえで、本願の特許を受けようとする発明を認定すると、本願特許請求の範囲請求項１に係る発明（以下、「本願発明」という）は、下記の事項により特定されるものであると認められる。
「先端部分に噴出口３を有する複数の突出部分６を前後方向に形成し、それら突出部分６の各噴出口３と連通するように内部に前後方向に形成された毛髪整髪用泡状物用流体通路２を有する筒状構造部分１と、前後方向に形成した複数の介在部材１２を有する鋸歯基部８とから構成され、
　前記筒状構造部分１の嵌め込み構造部分１１を前記鋸歯基部８の窪部１３に嵌めることにより、前記筒状構造部分１の各突出部分６の噴出口３を、それぞれ前記鋸歯基部８の介在部材１２の部分で包み込むように向き合わせて位置させて一体構造となるようにし、
　さらに、前記鋸歯基部８の前後方向に形成された複数の介在部材１２の周囲にはそれら介在部材１２を取り囲むように多数の長い鋸歯形成用突出部分７が突出して形成されており、
　前記鋸歯基部８の介在部材１２が、前記噴出口３から噴出された泡状物が前記介在部材１２の部分に当たって、受け止められ、捕まえられる抵抗体として機能し、噴出口３から噴出された泡状物の遠くへの飛散を防止すると共に、複数の介在部材１２の周囲に十分泡状物が確保されるようにしてなる毛髪整髪用泡状物噴出装置。」
　
【２】引用文献に記載の発明および事項
　原審における平成１１年１月５日付けの拒絶理由通知において引用文献１として示された平成８年１月２３日公開の特開平８−１９４１８号公報（以下、「引用刊行物」という）には、例えば、その
（１）公報第２頁第１欄第２〜１０行の
『【請求項１】　毛髪化粧料を収容した容器の噴出口部に着脱自在に取り付けられる櫛部本体を備え、該櫛部本体の基台に複数本の櫛歯を立設し、前記櫛部本体内には前記噴出口部に連通する毛髪化粧料導入路を設けると共に、該毛髪化粧料導入路から前記基台面に連通する複数の毛髪化粧料吐出孔を設けた毛髪化粧料塗布用具において、前記各毛髪化粧料吐出孔の上部には毛髪化粧料の飛散を防止する飛散防止体を設けたことを特徴とする毛髪化粧料塗布用具。』
なる記載、
（２）同第５頁第７欄第２４〜３５行の
『【００２３】図１７〜図１９は、本発明の第７実施例を示すものである。本実施例の毛髪化粧料塗布用具Ｇは、櫛歯２３が板状体から構成され、その中央部に毛髪化粧料の飛散を防止する切り欠き部３０を設けた点、前記毛髪化粧料吐出孔２５に円筒状吐出口部３１を設けた点、上記切り欠き部３０の下方に該円筒状吐出口部３１を配設した点でのみ前記第１実施例の毛髪化粧料塗布用具Ａと異なるものであり、同様に使用されるものである。本実施例の毛髪化粧料塗布用具Ｇは、飛散防止体と櫛歯とを一体としたものであるので、部品点数を削減することができ、その製造コストを更に低減できる利点を有する。』
なる記載、および
（３）同第５頁第８欄第１３〜１９行の
『【発明の効果】本発明によれば、各毛髪化粧料吐出孔の上部には毛髪化粧料の飛散を防止する飛散防止体が設けられているので、各毛髪化粧料吐出孔から吐出された毛髪化粧料は飛散防止体に当たることとなるので、櫛部本体外への飛散が防止され、しかも、毛髪化粧料が櫛部本体の基台上に均一に分散する使用性に優れた毛髪化粧料塗布用具が提供される。』
なる記載、そして
（４）図１７〜図１９の記載内容、
等を総合すると、下記の発明（以下、「引用発明」という。）が記載されていると認められる。
「先端部分に吐出口を有する複数の円筒状吐出口部３１を長手方向に形成し、それら円筒状吐出口部３１の各吐出口と連通するように内部に長手方向に形成された毛髪化粧料導入路２４を有し、長手方向に形成した複数の櫛歯２３を有する櫛部本体２０から構成され、
　前記各円筒状吐出口部３１の吐出口を、それぞれ前記櫛歯２３の泡状毛髪化粧料の飛散を防止する切り欠き部３０で包み込むように向き合わせて一体に形成し、
　前記櫛歯２３が、前記吐出口から吐出された泡状毛髪化粧料が前記櫛歯２３の切り欠き部３０に当たって、受け止められ、捕まえられる飛散防止体として機能し、吐出口から吐出された泡状毛髪化粧料の遠くへの飛散を防止すると共に、複数の櫛歯２３の周囲に十分泡状毛髪化粧料が確保されるようにしてなる毛髪化粧料塗布用具Ｇ。」
　
  また、
（５）同第２頁第２欄第１２〜２１行の
『【０００３】このような問題点を解決した毛髪化粧料塗布用具５としては、図２３に示すように、ブラシ部５ａと、該ブラシ部５ａと一体化した毛髪化粧料容器の内部から前記ブラシ部５ａの内部を経由し、ブラシ歯５ｂ近傍に開口した連通管５ｃと、該連通管５ｃの噴出口５ｄから噴出する毛髪化粧料が衝突することにより減勢する流動抵抗板５ｅとを備えたものであり、吐出した液は単一の噴出口５ｄより液を吐出し流動抵抗板５ｅにより吐出の勢いを減勢してブラシ歯５ｂの基部に液を供給するものが知られている（実開平５−９３２５２号公報）。』
なる記載、そして
（６）図２３における「連通管５ｃの噴出口５ｄが開口する毛髪化粧料容器の開口部をブラシ部５ａのブラシ歯５ｂと反対側の周囲に形成した嵌合凹部に嵌めることにより、一体構造となるように構成した」図示内容、
等を総合すると、下記の事項（以下、「記載事項Ａ」という。）が記載されているものと認められる。
「毛髪化粧料容器の開口部をブラシ部５ａの嵌合凹部に嵌めることにより、一体構造となるように構成された毛髪化粧料塗布用具５。」
　
　さらに、
（７）同第４頁第５欄第２５〜３４行の
『【００１５】図４〜図６は、本発明の第２実施例を示すものである。なお、前記第１実施例と同様の構成は同一符号をもって示し、その説明は省略する（以下の実施例においても同様）。本実施例の毛髪化粧料塗布用具Ｂは、前記第１実施例の毛髪化粧料塗布用具Ａに更に、櫛部本体２０の毛髪化粧料吐出孔２５、２５…の周囲、すなわち、両端の直列状の櫛歯２３と直列状の吐出孔２５との間に多数の毛からなる植毛部２８、２８…を設けた点でのみ前記第１実施例の毛髪化粧料塗布用具Ａと異なるものであり、同様に使用されるものである。』
なる記載および
（８）同第５頁第８欄第１９〜２７行の
『また、各毛髪化粧料吐出孔を基台の中央部長手方向に設けると共に、各櫛歯を基台の幅方向両端縁の長手方向に設け、該毛髪化粧料吐出孔と両端縁の櫛歯との間に多数の毛からなる植毛部を長手方向に配設した毛髪化粧料塗布用具では、毛髪化粧料を多く吐出させたとしても、毛髪化粧料は、この植毛部にとらえられて櫛歯側に流出し難いものとなり、毛髪化粧料が保持され液ダレで手や周囲を汚すことがなくなる利点を有する。』
なる記載、そして
（９）図４〜図６の記載内容、
等を総合すると、下記の事項（以下、「記載事項Ｂ」という。）が記載されているものと認められる。
「櫛部本体２０の基台２１の長手方向に並列する複数の毛髪化粧料吐出孔２５、２５…に対向して形成された飛散防止体２７の周囲に、該飛散防止体２７を取り囲むように多数の長い植毛部２８、２８…を突出して形成する」こと。
　
【３】対比・判断
［１］一致点・相違点
　本願発明と引用発明とを比較すると、後者における「吐出口」、「円筒状吐出口部３１」、「長手方向」、「毛髪化粧料導入路２４」、「櫛歯２３」、「泡状毛髪化粧料の飛散を防止する切り欠き部３０」、「吐出」、「泡状毛髪化粧料」、「飛散防止体」そして「櫛部本体２０」および「毛髪化粧料塗布用具Ｇ」は、用語の意味内容、その機能または作用等からみて、それぞれ、順に、前者における「噴出口」、「突出部分」、「前後方向」、「毛髪整髪用泡状物用流体通路」、「介在部材」、「（介在部材１２の）部分」、「噴出」、「泡状物」、「抵抗体」そして「毛髪整髪用泡状物噴出装置」に相当すると認められるので、本願発明と引用発明とは、
「先端部分に噴出口を有する複数の突出部分を前後方向に形成し、それら突出部分の各噴出口と連通するように内部に前後方向に形成された毛髪整髪用泡状物用流体通路を有し、前後方向に形成した複数の介在部材を有して毛髪整髪用泡状物噴出装置が構成され、
　前記各突出部分の噴出口がそれぞれ前記介在部材の部分で包み込むように向き合わせて位置させ、
　前記介在部材が、前記噴出口から噴出された泡状物が前記介在部材の部分に当たって、受け止められ、捕まえられる抵抗体として機能し、噴出口から噴出された泡状物の遠くへの飛散を防止すると共に、複数の介在部材の周囲に十分泡状物が確保されるようにしてなる毛髪整髪用泡状物噴出装置。」
である点で一致し、下記の点で相違している。
［相違点１］
　上記毛髪整髪用泡状物噴出装置が、本願発明においては、筒状構造部分の嵌め込み構造部分を鋸歯基部の窪部に嵌めることにより、一体構造となるように構成されているのに対して、引用発明においては、鋸歯基部と筒状構造部分との嵌め込み構造を採用しておらず両者は一体に形成されている点。
［相違点２］
　前後方向に形成された複数の介在部材の周囲に、本願発明においては、それら介在部材を取り囲むように多数の長い鋸歯形成用突出部分が突出して形成されているのに対して、引用発明においては、介在部材（櫛歯２３）が鋸歯の機能をも有することから、介在部材（櫛歯２３）を取り囲むような多数の長い鋸歯形成用突出部分は形成されていない点。
　
［２］相違点についての検討
（１）相違点１について
　前記記載事項Ａにおける「毛髪化粧料容器」、「開口部」、「ブラシ部５ａ」、「嵌合凹部」そして「毛髪化粧料塗布用具５」は、その機能または作用等からみて、それぞれ、順に、本願発明における「筒状構造部分」、「嵌め込み構造部分」、「鋸歯基部」、「窪部」そして「毛髪整髪用泡状物噴出装置」に相当すると認められるので、前記記載事項Ａは、
「毛髪整髪用泡状物噴出装置が、筒状構造部分の嵌め込み構造部分を鋸歯基部の窪部に嵌めることにより、一体構造とする」ことを開示していると認められる。
　それ故、上記記載事項Ａに倣って、引用発明の毛髪化粧料塗布用具Ｇ（毛髪整髪用泡状物噴出装置）の櫛部本体を、別体構造とした筒状構造部分と鋸歯基部とで構成し、それらを筒状構造部分の嵌め込み構造部分を鋸歯基部の窪部に嵌めることにより一体構造となるように構成して、本願発明のように構成する程度のことは、当業者が必要に応じて容易になし得たものと認められる。
　そして、本願発明の構成によってもたらされる明細書に記載の効果も、上記引用発明および上記記載事項Ａから当業者であれば容易に予測できる範囲のものであって、格別なものとはいえない。
　
（２）相違点２について
　前記記載事項Ｂにおける「櫛部本体２０の基台２１の長手方向に並列する複数の毛髪化粧料吐出孔２５、２５…に対向して形成された飛散防止体２７」そして「植毛部２８、２８…」は、その機能または作用等からみて、それぞれ、順に、本願発明における「複数の介在部材」そして「鋸歯形成用突出部分」に相当すると認められるので、前記記載事項Ｂは、
「複数の介在部材を取り囲むように多数の長い鋸歯形成用突出部分を突出して形成する」ことを開示していると認められる。
　それ故、上記記載事項Ｂに倣って、引用発明の毛髪整髪用泡状物噴出装置（毛髪化粧料塗布用具Ｇ）の複数の介在部材（櫛歯２３；飛散防止及び櫛機能を有する。）を、飛散防止機能を果たす介在部材本体と、櫛機能を果たす鋸歯形成用突出部分とに分離させ、介在部材本体を取り囲むように多数の長い鋸歯形成用突出部分を突出して形成し、本願発明のように構成する程度のことは、当業者が必要に応じて容易になし得たものと認められる。
　そして、本願発明の構成によってもたらされる明細書に記載の効果も、上記引用発明および上記記載事項Ｂから当業者であれば予測できる範囲のものであって、格別なものとはいえない。
【４】むすび
　したがって、本願発明は、その出願前に頒布された上記引用刊行物に記載された発明に基いて当業者が容易に発明をすることができたものであるから、特許法第２９条第２項の規定により、特許を受けることができない。
　よって、結論のとおり審決する。